【手続補正書】
【提出日】平成17年7月4日(2005.7.4)
【手続補正１】
【補正対象書類名】明細書
【補正対象項目名】特許請求の範囲
【補正方法】変更
【補正の内容】
【特許請求の範囲】
【請求項１】
電源の投入を指示するスイッチと、
操作者のホールディングを検出するセンサと、
前記スイッチの操作が為されている時の前記センサの検出を検知する検知手段と、
前記検知手段による検知に応じて、電源を投入させる制御を行う制御手段と、
を備えることを特徴とする撮影装置。
【請求項２】
前記スイッチは、電源の投入とともに撮影装置のモードを再生モードに設定するためのスイッチであり、
前記制御手段は、前記検知手段による検知に応じて、電源を投入させて撮影装置のモードを再生モードに設定する制御を行うことを特徴とする請求項１記載の撮影装置。
【請求項３】
電源の投入とともに撮影装置のモードを第１のモードに設定するための第１のスイッチと、
電源の投入とともに撮影装置のモードを第２のモードに設定するための第２のスイッチと、
操作者のホールディングを検出するセンサと、
前記第１のスイッチの操作を検知する第１の検知手段と、
前記第２のスイッチの操作が為されている時の前記センサの検出を検知する第２の検知手段と、
前記第１の検知手段の検知に応じて電源を投入させて撮影装置のモードを第１のモードに設定し、前記第２の検知手段の検知に応じて電源を投入させて撮影装置のモードを第２のモードに設定する制御手段と、
を備えることを特徴とする撮影装置。
【請求項４】
前記第１のモードは撮影モードであり、前記第２のモードは再生モードであることを特徴とする請求項３記載の撮影装置。
【請求項５】
前記第１のスイッチは、スライド動作により開状態及び閉状態それぞれに状態変化が可能に構成され、
前記第１の検知手段は、前記第１のスイッチの操作の検知として、前記第１のスイッチが開状態となったことを検知することを特徴とする請求項３記載の撮影装置。
【手続補正２】
【補正対象書類名】明細書
【補正対象項目名】０００５
【補正方法】変更
【補正の内容】
【０００５】
【課題を解決するための手段】
上記課題を解決するために、請求項１記載の発明は、
電源の投入を指示するスイッチと、
操作者のホールディングを検出するセンサと、
前記スイッチの操作が為されている時の前記センサの検出を検知する検知手段と、
前記検知手段による検知に応じて、電源を投入させる制御を行う制御手段と、
を備えることを特徴とする。
【手続補正３】
【補正対象書類名】明細書
【補正対象項目名】０００６
【補正方法】変更
【補正の内容】
【０００６】
したがって、スイッチの操作が検知された場合であっても、センサにより操作者のホールディングの検出が行われない場合は、電源が投入されない。すなわち、誤操作により、スイッチが操作された場合であっても、電源が投入されてしまうことがないため、撮影装置の電源が無駄に消費されることがない。
また、請求項２記載の発明は、請求項１記載の撮影装置において、
前記スイッチは、電源の投入とともに撮影装置のモードを再生モードに設定するためのスイッチであり、
前記制御手段は、前記検知手段による検知に応じて、電源を投入させて撮影装置のモードを再生モードに設定する制御を行うことを特徴とする。
したがって、検知手段による検知に応じて、速やかな電源の投入を行うとともに、撮影装置のモードを再生モードに設定することができる。
【手続補正４】
【補正対象書類名】明細書
【補正対象項目名】０００７
【補正方法】変更
【補正の内容】
【０００７】
請求項３記載の発明は、
電源の投入とともに撮影装置のモードを第１のモードに設定するための第１のスイッチと、
電源の投入とともに撮影装置のモードを第２のモードに設定するための第２のスイッチと、
操作者のホールディングを検出するセンサと、
前記第１のスイッチの操作を検知する第１の検知手段と、
前記第２のスイッチの操作が為されている時の前記センサの検出を検知する第２の検知手段と、
前記第１の検知手段の検知に応じて電源を投入させて撮影装置のモードを第１のモードに設定し、前記第２の検知手段の検知に応じて電源を投入させて撮影装置のモードを第２のモードに設定する制御手段と、
を備えることを特徴とする。
【手続補正５】
【補正対象書類名】明細書
【補正対象項目名】０００８
【補正方法】変更
【補正の内容】
【０００８】
したがって、電源の投入とともに撮影装置のモードを第１のモードに設定するための第１のスイッチと、電源の投入とともに撮影装置のモードを第２のモードに設定するための第２のスイッチとを備え、第１のスイッチは、スイッチの操作のみで電源の投入と第１のモードの設定とを行う。一方、第２のスイッチについては、第２のスイッチの操作が為されている時のセンサの検出の検知によって、電源の投入と第２のモードの設定とを行う。これにより、操作されるスイッチに応じて、速やかな電源の投入を行うと共に、対応するモードに設定することができる。
【手続補正６】
【補正対象書類名】明細書
【補正対象項目名】０００９
【補正方法】変更
【補正の内容】
【０００９】
請求項４記載の発明は、請求項３記載の撮影装置において、
前記第１のモードは撮影モードであり、前記第２のモードは再生モードであることを特徴とする。
【手続補正７】
【補正対象書類名】明細書
【補正対象項目名】００１１
【補正方法】変更
【補正の内容】
【００１１】
請求項５記載の発明は、請求項３記載の撮影装置において、
前記第１のスイッチは、スライド動作により開状態及び閉状態それぞれに状態変化が可能に構成され、
前記第１の検知手段は、前記第１のスイッチの操作の検知として、前記第１のスイッチが開状態となったことを検知することを特徴とする。
【手続補正８】
【補正対象書類名】明細書
【補正対象項目名】００４６
【補正方法】変更
【補正の内容】
【００４６】
【発明の効果】
請求項１記載の発明によれば、スイッチの操作が検知された場合であっても、センサにより操作者のホールディングの検出が行われない場合は、電源が投入されない。すなわち、誤操作により、スイッチが操作された場合であっても、電源が投入されてしまうことがないため、撮影装置の電源が無駄に消費されることがない。
また、請求項２記載の発明によれば、請求項１記載の発明の効果に加えて、検知手段による検知に応じて、速やかな電源の投入を行うとともに、撮影装置のモードを再生モードに設定することができる。
【手続補正９】
【補正対象書類名】明細書
【補正対象項目名】００４７
【補正方法】変更
【補正の内容】
【００４７】
請求項３記載の発明によれば、電源の投入とともに撮影装置のモードを第１のモードに設定するための第１のスイッチと、電源の投入とともに撮影装置のモードを第２のモードに設定するための第２のスイッチとを備え、第１のスイッチは、スイッチの操作のみで電源の投入と第１のモードの設定とを行う。一方、第２のスイッチについては、第２のスイッチの操作が為されている時のセンサの検出の検知によって、電源の投入と第２のモードの設定とを行う。これにより、操作されるスイッチに応じて、速やかな電源の投入を行うと共に、対応するモードに設定することができる。
【手続補正１０】
【補正対象書類名】明細書
【補正対象項目名】００４８
【補正方法】変更
【補正の内容】
【００４８】
請求項４記載の発明によれば、請求項３記載の発明の効果に加えて、例えば、操作者が撮影を行いたい場合は、第１のスイッチを操作するだけで、撮影装置の電源を投入させて、撮影モードに設定させることができるため、容易かつ速やかに撮影を行うことができ、良好な撮影機会を逃すことがない。また、例えば、操作者が画像の再生を行いたい場合は、第２のスイッチを操作すると共に、操作者のホールディングをセンサにより検出させることにより、撮影装置の電源を投入させて、再生モードに設定させることができ、誤操作により電源が投入され、表示のための駆動部が起動されてしまうことがない。
【手続補正１１】
【補正対象書類名】明細書
【補正対象項目名】００４９
【補正方法】変更
【補正の内容】
【００４９】
請求項５記載の発明によれば、請求項３記載の発明の効果に加えて、第１のスイッチの構成によれば、誤操作が起こりにくく、操作者の意図しない操作により、撮影装置の電源が投入されてしまうこと防止することができる。これにより、例えば、第１のスイッチが操作された場合は、センサによる検出の有無に関わらず、撮影装置の電源を投入させることができるため、処理工程を省いて、速やかに撮影装置の電源を投入させることができる。
【手続補正１２】
【補正対象書類名】図面
【補正対象項目名】図３
【補正方法】変更
【補正の内容】
【図３】
2004072232.tif 000001